(57)【要約】      （修正有）【課題】無線通信端末から無線通信装置の機能を利用できる機会を拡大する。【解決手段】無線通信端末との通信により、データ処理装置が出力処理可能なデータ形式を前記端末に通知して、通知に応じてデータ形式を指定した処理依頼を受信する第一通信部と、処理対象データの出力処理を行う出力部と、出力部が処理可能なデータ形式のデータに変換する変換処理を行うサーバーと通信する第二通信部と、を備える。第一通信部は、サーバーの変換処理により出力部が処理可能となるデータ形式を、前記端末に通知する。第二通信部は、データ形式を指定した処理依頼を前記端末から受信した場合に、取得した処理対象データをサーバーに送信して、変換処理された処理対象データをサーバーから受信する。出力部は、サーバーから受信した処理対象データに基づいて出力処理を行う。【選択図】図３
2015200996.tif 000002
【特許請求の範囲】
【請求項１】
無線通信端末と接続され、データの出力処理を行うデータ処理装置であって、
前記無線通信端末との無線通信により、前記データ処理装置が出力処理可能なデータ形式を前記無線通信端末に通知して、前記通知に応じてデータ形式を指定した処理依頼を受信する第一通信部と、
処理対象データの出力処理を行う出力部と、
前記出力部が処理可能なデータ形式のデータに変換する変換処理を行うサーバーと通信する第二通信部と、を備え、
前記第一通信部は、前記サーバーの変換処理により前記出力部が処理可能となるデータ形式を、前記データ処理装置が出力処理可能なデータ形式として前記無線通信端末に通知し、
前記第二通信部は、前記通知に応じて前記データ形式を指定した処理依頼を前記無線通信端末から受信した場合に、前記取得した処理対象データを前記サーバーに送信して、前記変換処理された処理対象データを前記サーバーから受信し、
前記出力部は、前記サーバーから受信した処理対象データに基づいて出力処理を行うことを特徴とするデータ処理装置。
【請求項２】
前記第一通信部は、
前記サーバーに接続している場合には、前記サーバーの変換処理により前記出力部が処理可能となるデータ形式を、前記データ処理装置が出力処理可能なデータ形式として通知し、
前記サーバーに接続していない場合には、前記サーバーの変換処理により前記出力部が処理可能となるデータ形式を、前記データ処理装置が出力処理可能なデータ形式として通知しない
請求項１に記載のデータ処理装置。
【請求項３】
前記第一通信部は、前記出力部自体が処理可能なデータ形式および前記出力部自体は対応しておらず、前記サーバーの変換処理により前記出力部が処理可能となるデータ形式を、前記データ処理装置が出力処理可能なデータ形式として通知する
請求項１または２に記載のデータ処理装置。
【請求項４】
前記出力部自体が処理可能なデータ形式の処理対象データを受信した場合、当該処理対象データは、前記サーバーに送信することなく、前記出力部が処理を行う
請求項１ないし３のいずれかに記載のデータ処理装置。
【請求項５】
印刷部を備え、
前記サーバーは、前記出力部が対応しないデータ形式のデータを、前記出力部が処理可能なデータ形式のデータに変換する変換処理を行うものであり、
前記第一通信部は、前記出力部が対応しないデータ形式のデータを、前記データ処理装置が出力処理可能なデータ形式として前記無線通信端末に通知して、前記出力部が対応しないデータ形式の処理対象データおよび前記処理依頼を受信し、
前記第二通信部は、前記取得した処理対象データを前記サーバーに送信して、前記出力部が処理可能なデータ形式に変換処理されたデータ形式の処理対象データを前記サーバーから受信し、
前記出力部は、前記サーバーから受信した処理対象データを前記印刷部に印刷させる出力処理を行う
請求項１ないし４のいずれかに記載のデータ処理装置。
【請求項６】
読取部を備え、
前記サーバーは、前記出力部が対応しないデータ形式のデータを、前記出力部が処理可能なデータ形式のデータに変換する変換処理を行うものであり、
前記第一通信部は、前記出力部が対応しないデータ形式のデータを、前記データ処理装置が出力処理可能なデータ形式として前記無線通信端末に通知して、前記データ形式を指定した処理依頼を受信し、
前記取得手段は、前記読取部が読み取った処理対象データを取得し、
前記第二通信部は、前記取得した処理対象データを前記サーバーに送信して、前記処理依頼に指定されたデータ形式に変換処理された処理対象データを前記サーバーから受信し、
前記出力部は、前記サーバーから受信した処理対象データを前記第一通信部に送信させる出力処理を行う
請求項１ないし４のいずれかに記載のデータ処理装置。
【請求項７】
無線通信端末と接続されるデータ処理装置とデータ変換を行うサーバーとを備えるデータ処理システムであって、
前記データ処理装置は、
前記無線通信端末との無線通信により、前記データ処理装置が出力処理可能なデータ形式を前記無線通信端末に通知して、前記通知に応じてデータ形式を指定した処理依頼を受信する第一通信部と、
処理対象データの出力処理を行う出力部と、
前記出力部が処理可能なデータ形式のデータに変換する変換処理を行うサーバーと通信する第二通信部と、を備え、
前記第一通信部は、前記サーバーの変換処理により前記出力部が処理可能となるデータ形式を、前記データ処理装置が出力処理可能なデータ形式として前記無線通信端末に通知し、
前記第二通信部は、前記通知に応じて前記データ形式を指定した処理依頼を前記無線通信端末から受信した場合に、前記取得した処理対象データを前記サーバーに送信して、前記変換処理された処理対象データを前記サーバーから受信し、
前記出力部は、前記サーバーから受信した処理対象データに基づいて出力処理を行うことを特徴とするデータ処理システム。
【請求項８】
無線通信端末と接続され、データの出力処理を行うデータ処理装置のデータ処理方法であって、
前記無線通信端末との無線通信により、前記データ処理装置が出力処理可能なデータ形式を前記無線通信端末に通知して、前記通知に応じてデータ形式を指定した処理依頼を受信するステップと、
処理対象データの出力処理を行うステップと、
前記出力部が処理可能なデータ形式のデータに変換する変換処理を行うサーバーと通信するステップと、を含み、
前記サーバーの変換処理により前記出力部が処理可能となるデータ形式を、前記データ処理装置が出力処理可能なデータ形式として前記無線通信端末に通知し、
前記通知に応じて前記データ形式を指定した処理依頼を前記無線通信端末から受信した場合に、前記取得した処理対象データを前記サーバーに送信して、前記変換処理された処理対象データを前記サーバーから受信し、
前記サーバーから受信した処理対象データに基づいて出力処理を行うことを特徴とするデータ処理方法。
【発明の詳細な説明】
【技術分野】
【０００１】
本発明は、無線通信装置および無線通信方法に関する。
【背景技術】
【０００２】
近年、無線通信端末とプリンターとの接続を容易にするための技術が種々開発されている（例えば特許文献１）。規格化が検討されているＷｉＦｉ  ＤｉｒｅｃｔのＰｒｉｎｔ  Ｓｅｒｖｉｃｅ（以下、ＷＦＤＰＳと略記する。）は、ＷｉＦｉ  ＤｉｒｅｃｔとＩＰＰ  Ｅｖｅｒｙｗｈｅｒｅを融合させることにより、プリンタードライバーを用いることなく、任意の無線通信端末から文書をプリンターに無線送信して印刷させる技術である。ＷＦＤＰＳでは、無線通信端末からプリンターに対して出力可能なデータ形式を問い合わせ、ユーザーが印刷させようとする対象データのデータ形式を出力可能なプリンターを特定した上で、無線通信端末からプリンターに対象データを送信する手順が定められる。
【先行技術文献】
【特許文献】
【０００３】
【特許文献１】特開２００９−２５１８２３号公報
【発明の概要】
【発明が解決しようとする課題】
【０００４】
しかし、ＷＦＤＰＳでは、無線通信端末とプリンターが共通のデータ形式をサポートしていなければ、無線通信端末からプリンターを利用することができないという問題がある。すなわち、ＷＦＤＰＳの規格が策定されても、それを利用して印刷できる機会は限定される。
本発明は、無線通信端末から無線通信装置の機能を利用できる機会を拡大することを目的の一つとする。
【課題を解決するための手段】
【０００５】
（１）上記目的を達成するためのデータ処理装置は、無線通信端末と接続され、データの出力処理を行うデータ処理装置であって、前記無線通信端末との無線通信により、前記データ処理装置が出力処理可能なデータ形式を前記無線通信端末に通知して、前記通知に応じてデータ形式を指定した処理依頼を受信する第一通信部と、処理対象データの出力処理を行う出力部と、前記出力部が処理可能なデータ形式のデータに変換する変換処理を行うサーバーと通信する第二通信部と、を備え、前記第一通信部は、前記サーバーの変換処理により前記出力部が処理可能となるデータ形式を、前記データ処理装置が出力処理可能なデータ形式として前記無線通信端末に通知し、前記第二通信部は、前記通知に応じて前記データ形式を指定した処理依頼を前記無線通信端末から受信した場合に、前記取得した処理対象データを前記サーバーに送信して、前記変換処理された処理対象データを前記サーバーから受信し、前記出力部は、前記サーバーから受信した処理対象データに基づいて出力処理を行うことを特徴とする。
【０００６】
この発明によると、データ処理装置が単独で出力処理可能ではないデータ形式をデータ処理装置が出力処理可能なデータ形式として無線通信端末に通知するため、無線通信端末にとってデータ処理装置がその機能を使用可能な装置の候補となる機会が拡大する。そしてデータ処理装置はサーバーと通信してサーバーにデータ変換させることにより、単独で出力できないデータ形式をデータ処理装置と通信して出力することができる。したがってこの発明によると、無線通信端末から無線通信装置の機能を利用できる機会を拡大することができる。なお、（３）前記第一通信部は、前記出力部自体が処理可能なデータ形式および前記出力部自体は対応しておらず、前記サーバーの変換処理により前記出力部が処理可能となるデータ形式を、前記データ処理装置が出力処理可能なデータ形式として通知してもよい。また、（４）前記出力部自体が処理可能なデータ形式の処理対象データを受信した場合、当該処理対象データは、前記サーバーに送信することなく、前記出力部が処理を行ってもよい。
【０００７】
（２）上記目的を達成するためのデータ処理装置において、前記第一通信部は、前記サーバーに接続している場合には、前記サーバーの変換処理により前記出力部が処理可能となるデータ形式を、前記データ処理装置が出力処理可能なデータ形式として通知し、前記サーバーに接続していない場合には、前記サーバーの変換処理により前記出力部が処理可能となるデータ形式を、前記データ処理装置が出力処理可能なデータ形式として通知しなくてもよい。
この構成を採用すると、データ処理装置とサーバーとの接続状態に応じた適切なデータ形式を出力可能なデータ形式として無線通信端末に通知することができる。
【０００８】
（５）上記目的を達成するためのデータ処理装置において、印刷部を備え、前記サーバは、前記出力部が対応しないデータ形式のデータを、前記出力部が処理可能なデータ形式のデータに変換する変換処理を行うものであり、前記第一通信部は、前記出力部が対応しないデータ形式のデータを、前記データ処理装置が出力処理可能なデータ形式として前記無線通信端末に通知して、前記出力部が対応しないデータ形式の処理対象データおよび前記処理依頼を受信し、前記取得手段は、前記第一通信部が受信した処理対象データを取得し、前記第二通信部は、前記取得した処理対象データを前記サーバーに送信して、前記出力部が処理可能なデータ形式に変換処理されたデータ形式の処理対象データを前記サーバーから受信し、前記出力部は、前記サーバーから受信した処理対象データを前記印刷部に印刷させる出力処理を行ってもよい。
この構成を採用すると、データ処理装置が単独では印刷可能でないデータ形式のデータを無線通信端末から受信してデータ処理装置で印刷することができる。
【０００９】
（６）上記目的を達成するためのデータ処理装置において、読取部を備え、前記サーバは、前記出力部が対応しないデータ形式のデータを、前記出力部が処理可能なデータ形式のデータに変換する変換処理を行うものであり、前記第一通信部は、前記出力部が対応しないデータ形式のデータを、前記データ処理装置が出力処理可能なデータ形式として前記無線通信端末に通知して、前記データ形式を指定した処理依頼を受信し、前記取得手段は、前記読取部が読み取った処理対象データを取得し、前記第二通信部は、前記取得した処理対象データを前記サーバーに送信して、前記処理依頼に指定されたデータ形式に変換処理された処理対象データを前記サーバーから受信し、前記出力部は、前記サーバーから受信した処理対象データを前記第一通信部に送信させる出力処理を行ってもよい。
この構成を採用すると、データ処理装置が画像を読み取っても単独では出力できないデータ形式のデータを無線通信端末に出力することができる。
【００１０】
なお、以上の発明は、データ処理システムとしてもデータ処理方法としてもデータ処理プログラムとしてもデータ処理プログラムを記録した記録媒体としても構成可能である。また、データ処理装置およびデータ処理システムが備える各部の機能は、ハードウェアとソフトウェアの協働によって実現しても良いし、ハードウェアによって実現しても良い。
【図面の簡単な説明】
【００１１】
【図１】本発明の実施形態にかかる無線通信システムを示す模式図。
【図２】本発明の実施形態にかかる無線通信システムを示すブロック図。
【図３】本発明の実施形態にかかる無線通信方法のシーケンス図。
【図４】本発明の実施形態にかかる無線通信システムを示すブロック図。
【図５】本発明の実施形態にかかる無線通信方法のシーケンス図。
【発明を実施するための形態】
【００１２】
以下、本発明の実施の形態を添付図面を参照しながら順に説明する。尚、各図において対応する構成要素には同一の符号が付され、重複する説明は省略される。
【００１３】
１．データ処理装置の構成
図１は、本発明によるデータ処理装置の一実施例としての印刷装置２とサーバー３とによって構成されたデータ処理システムを示している。印刷装置２は、無線通信端末の一実施例としてのスマートフォン１とＷｉ−Ｆｉ  Ｄｉｒｅｃｔによって接続され、サーバー３とインターネットによって接続される。
【００１４】
図２に示すように、データ処理装置としての印刷装置２は、印刷部２１、無線通信部２２および制御部２３を備えている。印刷部２１は、電子写真方式、インクジェット方式等の周知の印刷方式において写真紙・普通紙・ＯＨＰシートなどの印刷媒体に印刷を実行するためのアクチュエーターやセンサーや駆動回路や機械部品を備えている。第一通信部および第二通信部として機能する無線通信部２２は、ＩＥＥ８０２．１１に準じた無線通信をするための電子回路を備える。無線通信部２２は、アクセスポイント４を中継機とする無線ＬＡＮ通信と、アクセスポイント４を中継しないＰ２Ｐの無線通信規格であるＷｉ−Ｆｉ  Ｄｉｒｅｃｔ（以下、ＷＦＤと略記する）に準じた無線通信とに対応している。制御部２３は、図示しないＣＰＵ、メインメモリ、不揮発性メモリ、入出力回路等を備える。制御部２３は、不揮発性メモリに格納されている制御プログラムをメインメモリにロードしてＣＰＵで実行することによって、印刷部２１および無線通信部２２を制御する。この制御プログラムには、ＯＳ（Operating System）の他、制御部２３をＷＦＤ通信部２３１、印刷管理部２３２および印刷制御部２３３として機能させるデータ処理プログラムが含まれている。ここで印刷制御部２３３は、ＰＷＧ−Ｒａｓｔｅｒ形式のデータに基づいて印刷部２１を制御するものとする。すなわち、印刷装置２は、ＰＷＧ−Ｒａｓｔｅｒ形式のデータのみを単独で印刷できるものとする。なお、印刷制御部２３３は「出力部」に相当する。また、ＰＷＧ−Ｒａｓｔｅｒ形式は「出力部が処理可能なデータ形式」に相当する。本実施例では、「出力部が処理可能なデータ形式」を「第二のデータ形式」ともいうものとする。
【００１５】
図２に示すように、サーバー３は、通信部３１および制御部３２を備えている。通信部３１は、インターネットプロトコルに準じた通信をするための電子回路を備える。制御部３２は、図示しないＣＰＵ、メインメモリ、ＲＯＭ、入出力回路、外部記憶装置等を備える。制御部３２は、各種のプログラムをメインメモリにロードしてＣＰＵで実行することによって通信部３１を制御する。制御部１２が実行するプログラムには、ＯＳの他、制御部３２をデータ変換部３２１として機能させるデータ変換プログラムが含まれる。ここでデータ変換部３２１は、ＰＤＦ形式のデータをＰＷＧ−Ｒａｓｔｅｒ形式のデータに変換できるものとする。したがって、ＰＤＦ形式は「サーバーの変換処理により出力部が処理可能となるデータ形式」および「出力部が対応しないデータ形式」に相当する。本実施例では、「サーバーの変換処理により出力部が処理可能となるデータ形式」および「出力部が対応しないデータ形式」を「第一のデータ形式」ともいうものとする。
【００１６】
スマートフォン１は、図示しないＣＰＵ、メインメモリ、不揮発性メモリ、入出力回路等を備える制御部と、タッチパネルディスプレイと、無線通信部とを備える。制御部が実行するプログラムには、ＷＦＤＰＳをサポートするＯＳの他、画像を保存、表示、送信等するための文書管理プログラムが含まれる。
【００１７】
２．データ処理方法
次に図３を参照しながら、スマートフォン１のユーザーが選択した画像データを印刷装置２が印刷するデータ処理方法を説明する。
印刷装置２は、予め決められたタイミングでサーバー３と通信し、サーバー３が変換できるデータ形式を取得する（Ｓ０）。具体的には例えば、印刷管理部２３２は、印刷装置２の電源投入時や、予め決められた時間間隔や時刻等、予め決められたタイミングでサーバー３に対して、サーバー３が変換できるデータ形式の一覧を要求し、印刷管理部２３２が入力を受け付けるＰＷＧ−Ｒａｓｔｅｒ形式（第二のデータ形式）にサーバー３がデータを変換できるデータ形式を特定して記憶する。サーバー３が変換できるデータ形式の一覧を印刷装置２が随時サーバー３から取得することにより、サーバー３の機能拡張に応じてスマートフォン１のユーザーが印刷装置２の印刷機能を利用できる機会が拡大する。サーバー３が変換できるデータ形式の一覧は、例えば次の表１のような情報である。表１の一覧は、サーバー３が、ＰＤＦ形式のデータをＰＷＧ−Ｒａｓｔｅｒ形式およびＰＣＬｍ形式のデータに変換でき、ＰＣＬｍ形式のデータをＰＷＧ−Ｒａｓｔｅｒ形式のデータに変換できる場合の例を示している。
【００１８】
【表１】
2015200996.tif 000003
【００１９】
サーバー３が変換できるデータ形式を取得した印刷装置２は、印刷可能なデータ形式を示すデータ形式情報を更新する（Ｓ１）。具体的には、印刷管理部２３２は、印刷制御部２３３に入力して印刷することが可能な第二データ形式と、その第二データ形式にサーバーが変換可能な第一データ形式とを印刷可能なデータ形式（データ処理装置が出力処理可能なデータ形式）として、データ形式情報を更新する。ここでサーバー３が第二データ形式に変換可能な第一データ形式を、サーバー３から最後に取得した第一データ形式に更新することにより、印刷装置２が印刷可能なデータ形式としてスマートフォン１に通知するデータ形式を、サーバー３と印刷装置２との接続状態に整合させることができる。すなわち、印刷装置２がサーバー３と接続されていない状態では、印刷装置２が単独で印刷可能でないデータ形式が印刷可能なデータ形式としてスマートフォン１に通知されることを防止できる。データ形式情報は、例えば次の表２のように、データ形式を示す文字と、そのデータ形式が、印刷装置２が単独で印刷可能な第一データ形式であるか、サーバー３によるデータ変換が必要な第二データ形式であるかを示す文字又はフラグを含む情報である。
【００２０】
【表２】
2015200996.tif 000004
【００２１】
図３に示すＳ２以後の処理は、スマートフォン１のユーザーが文書管理プログラムを用いてデータを選択して印刷を指示することにより開始される。
スマートフォン１のユーザーがデータを選択して印刷を指示すると、スマートフォン１の制御部は、印刷可能なデータ形式を問い合わせるメッセージをＷＦＤの規格に準じてブロードキャストする（Ｓ２）。以下、ユーザーがＰＤＦ形式のファイルを選択して印刷を指示したものとして説明する。
【００２２】
スマートフォン１が印刷装置２とＷＦＤで通信可能な場所にあると、印刷装置２は、スマートフォン１からブロードキャストされたメッセージを受信して、印刷可能なデータ形式をＷＦＤの規格に準じてスマートフォン１に返信する（Ｓ３）。このとき印刷管理部２３２は、最新の状態に更新されているデータ形式情報に基づいて印刷可能なデータ形式を返信する。したがって、印刷装置２とサーバー３とが接続されている場合には、印刷可能なデータ形式として第一データ形式（ＰＤＦ）及び第二データ形式（ＰＷＧ−Ｒａｓｔｅｒ）が返信される。印刷装置２とサーバー３とが接続されていない場合には、印刷可能なデータ形式として第二データ形式（ＰＷＧ−Ｒａｓｔｅｒ）のみが返信される。
【００２３】
スマートフォン１は、ブロードキャストしたメッセージに対する返信を受信すると、印刷を依頼するデータ処理装置を選択する（Ｓ４）。具体的には、スマートフォン１の制御部は、返信されたデータ形式と、印刷対象のデータ形式とを照合し、印刷対象のデータ形式を印刷可能なデータ形式として返信したデータ処理装置を印刷依頼先として選択する。本実施例では、ユーザーによってＰＤＦ形式のファイルが選択され、印刷装置２はＰＤＦ形式を印刷可能なデータ形式として返信するため、印刷依頼するデータ処理装置として印刷装置２が選択される。
【００２４】
次にスマートフォン１は、印刷依頼するデータ処理装置として選択した印刷装置２とＷＦＤの接続を規格に準じて確立する（Ｓ５）。具体的には、無線通信によりＳＳＩＤ（Service Set Identifier）と暗号鍵が印刷装置２とスマートフォン１とで共有され、スマートフォン１と印刷装置２とがアクセスポイント４を介さずに接続される。
【００２５】
ＷＦＤの接続が確立されると、スマートフォン１は、印刷対象として選択したデータを印刷装置２に送信する（Ｓ６）。
【００２６】
印刷対象のデータを受信すると、印刷装置２は印刷対象データのデータ形式が第一データ形式であるか第二データ形式であるかを判定する（Ｓ７）。具体的には、印刷管理部２３２は、受信したデータがサーバー３による変換が必要な第一データ形式（ＰＤＦ形式）であるか、変換せずに印刷制御部２３３が処理できる第二データ形式（ＰＷＧ−Ｒａｓｔｅｒ形式）であるかをデータ形式情報を用いて判定する。
【００２７】
印刷対象データが第二データ形式である場合、印刷装置２は単独で印刷を実行する（Ｓ３）。具体的には印刷制御部２３３は、ＰＷＧ−Ｒａｓｔｅｒ形式の印刷対象データに対して色変換、解像度変換、ハーフトーニング、インターレース等の処理を施して印刷データを生成し、生成した印刷データを印刷部２１に出力して印刷を実行させる。
【００２８】
印刷対象データが第一データ形式である場合、印刷装置２は印刷対象データの変換をサーバー３に依頼する（Ｓ８）。具体的には、印刷管理部２３２は、印刷対象データの変換前及び変換後のデータ形式、データサイズ等をパラメーターとする依頼メッセージをサーバー３に送信する。
【００２９】
依頼メッセージを受信したサーバー３のデータ変換部３２１は、印刷対象データを印刷装置２に要求する（Ｓ９）。
【００３０】
印刷対象データを要求されると、印刷装置２は、第一データ形式の印刷対象データをサーバー３に転送する（Ｓ１０）。具体的には、印刷管理部２３２はＰＤＦ形式の印刷対象データをサーバー３に送信する。
【００３１】
印刷対象データを受信すると、サーバー３のデータ変換部３２１は、印刷対象データを第一データ形式（ＰＤＦ形式）から第二データ形式（ＰＷＧ−Ｒａｓｔｅｒ形式）に変換する（Ｓ１１）。
【００３２】
続いてサーバー３のデータ変換部３２１は、第二データ形式に変換された印刷対象データを印刷装置２に送信する（Ｓ１２）。
【００３３】
その結果、印刷装置２は第二データ形式の印刷対象データを受信する。すなわち印刷装置２は、サーバー３と通信することによって、第一データ形式の印刷対象データを第二データ形式に変換したことになる。
【００３４】
続いて印刷装置２は、第二データ形式の印刷対象データを印刷する（Ｓ１３）。具体的には印刷制御部２３３は、ＰＷＧ−Ｒａｓｔｅｒ形式の印刷対象データに対して色変換、解像度変換、ハーフトーニング、インターレース等の処理を施して印刷データを生成し、生成した印刷データを印刷部２１に出力して印刷を実行させる。
【００３５】
以上説明したデータ処理システムによると、印刷装置２が単独で印刷できるＰＷＧ−Ｒａｓｔｅｒ形式に加えて、印刷装置２が単独で印刷できないＰＤＦ形式を、印刷装置２が印刷できるデータ形式としてスマートフォン１に通知するため、ＷＦＤＰＳにおいて、印刷装置２が、印刷機能を使用可能な装置の候補となる機会が拡大する。そして印刷装置２はサーバー３と通信してサーバー３にデータ変換させることにより、ＰＤＦ形式のデータをＰＷＧ−Ｒａｓｔｅｒ形式に変換することができるため、単独では印刷できないＰＤＦ形式のデータをスマートフォン１から受信して印刷することができる。したがって、スマートフォン１から印刷装置２を利用できる機会を拡大することができる。
【００３６】
また、印刷装置２とサーバー３との接続状態に応じてデータ形式情報を更新するため、印刷装置２とサーバー３との接続状態に応じた適切なデータ形式を印刷可能なデータ形式としてスマートフォン１に通知することができる。
【００３７】
４．他の実施形態
尚、本発明の技術的範囲は、上述した実施例に限定されるものではなく、本発明の要旨を逸脱しない範囲内において種々変更を加え得ることは勿論である。
以下、上述した実施例を変形した実施形態を例示する。
【００３８】
本発明は、印刷装置の他、画像を投写するプロジェクター、ディスプレイといったデータ出力装置にも適用できるし、スキャナー、デジタルカメラといったデータ入力装置にも適用できるし、ファクシミリのようなデータ通信装置にも適用できる。
【００３９】
図４は、本発明のデータ処理装置をスキャナーに適用して構成したデータ処理システムを示している。図４に示すようにデータ処理装置としてのスキャナー５は、読み取り部５１、無線通信部５２および制御部５３を備えている。読み取り部５１は、周知の画像読み取り方式において原稿から画像を読み取るためのラインイメージセンサーや駆動回路や副走査機構を備えている。第一通信部及び第二通信部として機能する無線通信部５２は、ＩＥＥ８０２．１１に準じた無線ＬＡＮ通信をするための電子回路を備える。制御部５３は、図示しないＣＰＵ、メインメモリ、不揮発性メモリ、入出力回路等を備える。制御部５３は、不揮発性メモリに格納されている制御プログラムをメインメモリにロードしてＣＰＵで実行することによって、読み取り部５１および無線通信部５２を制御する。この制御プログラムには、ＯＳの他、制御部５３をＷＦＤ通信部５３１、読み取り管理部５３２および読み取り制御部５３３として機能させるデータ処理プログラムが含まれている。ここで読み取り制御部５３３は、読み取り部５１の出力をＧＩＦ形式の画像データに変換するものとする。すなわちスキャナー５は、ＧＩＦ形式のデータのみを単独で出力できるものとする。なお、読み取り制御部５３３は「出力部」に相当する。またＧＩＦ形式は「出力部が処理可能なデータ形式に相当する。」
図４に示すサーバー３のデータ変換部３２１はＧＩＦ形式のデータをＰＮＧ形式のデータに変換するものとする。したがって、ＰＮＧ形式は「サーバーの変換処理により出力部が処理可能となるデータ形式」および「出力部が対応しないデータ形式」に相当する。
【００４０】
次に図５を参照しながらスキャナー５で読み取った画像データをスマートフォン１に送信するデータ処理方法を説明する。
スキャナー５は、予め決められたタイミングでサーバー３と通信し、サーバー３が変換できるデータ形式を取得する（Ｓ０）。サーバー３が変換できるデータ形式を取得したスキャナー５は、出力可能なデータ形式を示すデータ形式情報を更新する（Ｓ２１）。スマートフォン１のユーザーが読み取りの要求を入力すると、スマートフォン１の制御部は、出力可能なデータ形式を問い合わせるメッセージをＷＦＤの規格に準じてブロードキャストする（Ｓ２２）。ここでスマートフォン１はＧＩＦ形式の画像データを表示することができず、ＰＮＧ形式の画像データを表示することができるものとする。スマートフォン１がスキャナー５と無線通信が可能な場所にあると、スキャナー５は、スマートフォン１からブロードキャストされたメッセージを受信して、出力可能なデータ形式をＷＦＤの規格に準じてスマートフォン１に返信する（Ｓ２３）。スマートフォン１は、ブロードキャストしたメッセージに対する返信を受信すると、読み取りを依頼するデータ処理装置を選択する（Ｓ２４）。スマートフォン１はＧＩＦ形式の画像データを表示できず、ＰＮＧ形式の画像データを表示することができ、スキャナー５はＰＮＧ形式を印刷可能なデータ形式として返信するため、読み取りを依頼するデータ処理装置としてスキャナー５が選択される。次にスキャナー５は、読み取り依頼するデータ処理装置として選択したスキャナー５とＷＦＤの接続を規格に準じて確立する（Ｓ２５）。ＷＦＤの接続が確立されると、ユーザーはスキャナー５に原稿をセットして、スマートフォン１から印刷装置２に読み取りを指示する（Ｓ２６）。このときスマートフォン１は、出力データの形式をＰＮＧ形式に指定する。読み取りを指示されたスキャナー５はセットされた原稿を読み取る（Ｓ２７）。その結果、スキャナー５の読み取り制御部５３３はＧＩＦ形式の画像データを取得する。続いてスキャナー５は、スマートフォン１に指示された出力データの形式が、ＧＩＦ形式以外の第一データ形式であるか、読み取り制御部５３３が生成するＧＩＦ形式（第二データ形式）であるかを判定する（Ｓ２８）。指示された出力データが第二データ形式（ＧＩＦ形式）である場合、スキャナー５は読み取り制御部５３３が生成した第二データ形式（ＧＩＦ形式）の出力データをスマートフォン１に送信する（Ｓ３４）。指示された出力データが第一データ形式（ＰＮＧ形式）である場合、スキャナー５は出力データの変換をサーバー３に依頼する（Ｓ２９）。サーバー３から第二データ形式の出力データを要求されると（Ｓ３０）、スキャナー５は第二データ形式（ＧＩＦ形式）の出力データをサーバー３に送信する（Ｓ３１）。サーバー３は、第二データ形式の出力データを受信すると、第一データ形式（ＰＮＧ形式）に変換し（Ｓ３２）、第一データ形式の出力データをスキャナー５に送信する（Ｓ３３）。スキャナー５は、サーバー３から受信した第一データ形式（ＰＮＧ形式）の出力データをスマートフォン１に送信する（Ｓ３４）。
【００４１】
このように、スキャナーに本発明を適用すると、スキャナー５が画像を読み取っても単独では出力できない第一データ形式のデータをスマートフォン１に出力することができる。したがって、スマートフォン１がスキャナー５を利用できる機会を拡大することができる。
【００４２】
また、データ処理装置は、複数の第一データ形式のデータを出力可能であることを無線通信端末に通知しても良いし、複数の第一データ形式のデータを出力可能であることを無線通信端末に通知しても良い。
また、データ処理装置がサーバーと接続されているかの判定は、無線通信端末から出力可能なデータ形式の問い合わせを受信したときに行っても良い。
また、データ処理装置と無線通信端末との無線通信方式は、ＷＦＤ以外のＰ２Ｐの方式であってもよい。またＩＥＥ８０２．１１の代わりにＢｌｕｅＴｏｏｔｈや赤外線通信（ＩｒＤＡ等）や近接場型無線通信（ＮＦＣ等）の無線通信方式を用いても良い。また、データ処理装置とサーバーとはＬＡＮで接続されていても良いし、専用の通信回線で接続されていても良い。
また、サーバーは、単一のコンピューターで構成しても良いし、ＬＡＮやインターネットで接続された複数のコンピューターで構成してもよい。
【符号の説明】
【００４３】
１…スマートフォン、２…印刷装置、３…サーバー、４…アクセスポイント、５…スキャナー、１２…制御部、２１…印刷部、２２…無線通信部、２３…制御部、３１…通信部、３２…制御部、５１…読み取り部、５２…無線通信部、５３…制御部、２３１…通信部、２３２…印刷管理部、２３３…印刷制御部、３２１…データ変換部、５３１…通信部、５３２…読み取り管理部、５３３…読み取り制御部
【図１】
2015200996.tif 000005
【図２】
2015200996.tif 000006
【図３】
2015200996.tif 000007
【図４】
2015200996.tif 000008
【図５】
2015200996.tif 000009